(57)【特許請求の範囲】
【請求項１】
中空体；
前記中空体内に強固に取付けられる受け溝；
前記中空体を通して取付けられる伝達部品；
前記中空体に設置され、前記伝達部品に接続し、該伝達部品により駆動することによって、前記受け溝内において選択的に移動するように取付けられ、各フレームが、該フレーム内に挿入される、結合組織を収納するための複数の容器を有する複数のフレーム；
前記中空体に設置され、それぞれ対応するフレームに接続すると共に、選択的に該対応するフレームの容器を振動させる複数の発振装置；及び
前記中空体に設置され、前記受け溝において前記容器の結合組織に対して作動する超音波機構
を含む、超音波発振器。
【請求項２】
前記伝達部品は、前記中空体の上部に取付けられる油圧シリンダ；前記油圧シリンダに接続され、前記受け溝を選択的に密封するカバー；及び前記中空体の上部及びカバーを通り振動可能な状態で取付けられ、前記油圧シリンダに接続される支持ロッドを含み；前記フレームは其々前記支持ロッドに掛けられる、請求項１に記載の超音波発振器。
【請求項３】
前記各発振装置は、前記対応する支持ロッドに強固に取付けられる平歯車；前記中空体に取付けられるモータ；及び該モータによって駆動され、前記平歯車に選択的に噛み合う偏心歯車を含む、請求項２に記載の超音波発振器。
【請求項４】
前記カバーに取付けられる真空ポンプを更に含み、前記カバーは、該カバーに取付けられる放圧装置を有する、請求項２または３に記載の超音波発振器。
【請求項５】
前記受け溝に取付けられる噴霧機構を更に含み、前記受け溝は、該受け溝の底部に取付けられ、前記中空体の外に突出する排出用パイプを有する、請求項１乃至３の何れかに記載の超音波発振器。
【請求項６】
前記受け溝に取付けられる噴霧機構を更に含み、前記受け溝は、該受け溝の底部に取付けられ、前記中空体の外に突出する排出用パイプを有する、請求項４に記載の超音波発振器。
【発明の詳細な説明】
【技術分野】
【０００１】
本発明は、超音波発振器に関し、特に多孔性コラーゲンマトリクスを製造するための超音波発振器に関する。
【背景技術】
【０００２】
コラーゲンは、現代社会で広く使用されている。バイオ産業では、良質なコラーゲンを、より速く製造しようと努力している。したがって、それに応じて結合組織から多孔性コラーゲンマトリクスを製造することが、重要な課題になっている。
【発明の概要】
【発明が解決しようとする課題】
【０００３】
本発明の主な目的は、多孔性コラーゲンマトリクスを製造するための超音波発振器を提供することである。
【課題を解決するための手段】
【０００４】
上記目的を達成するために、本発明は、
中空体；
中空体内に強固に取付けられる受け溝；
中空体を通して取付けられる伝達部品；
中空体に設置され、伝達部品に接続し、該伝達部品により駆動することによって、受け溝内において選択的に移動するように取付けられ、各フレームが、その中に挿入される、結合組織を収納するための複数の容器を有する複数のフレーム；
中空体に設置され、それぞれ対応するフレームに接続すると共に、選択的に該対応するフレームの容器を振動させる複数の発振装置；及び
中空体に設置され、受け溝において容器の結合組織に対して作動する超音波機構
を含む、超音波発振器を開発した。
【０００５】
上記超音波発振器では、伝達部品は、中空体の上部に取付けられる油圧シリンダ；油圧シリンダに接続され、受け溝を選択的に密封するカバー；及び中空体の上部及びカバーを通り振動可能な状態で取付けられ、油圧シリンダに接続される支持ロッドを含み；フレームは其々支持ロッドに掛けられる。
【０００６】
上記超音波発振器では、各発振装置は、対応する支持ロッドに強固に取付けられる平歯車；中空体に取付けられるモータ；及び該モータによって駆動され、平歯車に選択的に噛み合う偏心歯車を含む。
【０００７】
上記超音波発振器は、カバーに取付けられる真空ポンプを更に含み、カバーは、該カバーに取付けられる放圧装置を有する。
【０００８】
上記超音波発振器は、カバーに取付けられる真空ポンプを更に含み、カバーは、該カバーに取付けられる放圧装置を有する。
【０００９】
上記超音波発振器は、受け溝に取付けられる噴霧機構を更に含み、受け溝は、該受け溝の底部に取付けられ、中空体の外に突出する排出用パイプを有する。
【００１０】
本発明には、次の利点がある。発振装置と超音波機構との協働により、容器内の結合組織が、徐々に多孔性コラーゲンマトリクスになり、産業界のニーズに応えるよう提供される。
【図面の簡単な説明】
【００１１】
【図１】多孔性コラーゲンマトリクスを製造するための超音波発振器の動作正面図であり、フレームが受け溝内に移動されるところを示している。
【図２】図１における超音波発振器の容器の拡大側面図である。
【図３】図１の超音波発振器の動作正面図であり、フレームが振動しているところを示している。
【図４】図１の超音波発振器の別の動作正面図であり、フレームが振動しているところを示している。
【発明を実施するための形態】
【００１２】
以下では、本発明による図面及び好適実施例と共に、本発明の目的を達成する手段について、より完全に解釈及び理解されるであろう。
【００１３】
図１を参照すると、本発明による超音波発振器は、中空体１０、受け溝２０、伝達部品３０、複数のフレーム４０、複数の発振装置５０、超音波機構６０、真空ポンプ７０、及び噴霧機構８０を含む。
【００１４】
受け溝２０は、中空体１０に強固に取付けられ、中空体１０の底部付近に取付けられる。受け溝２０は、受け溝２０の底部に取付けられ、中空体１０から突出する排出用パイプ２１を有する。
【００１５】
伝達部品３０は、中空体１０の上部を通して取付けられ、油圧シリンダ３１、カバー３２、及び複数の支持ロッド３３を含む。油圧シリンダ３１は、中空体１０の上部に取付けられる。カバー３２は、油圧シリンダ３１に接続され、選択的に受け溝２０を密封し、該カバー上に放圧装置３２１を有する。支持ロッド３３は、中空体１０の上部及びカバー３２を通り振動可能な状態で取付けられ、油圧シリンダ３１に接続される。
【００１６】
図１及び図２を参照すると、複数のフレーム４０が、伝達部品３０と接続しており、受け溝２０内に選択的に取付けられている。好適実施例では、フレーム４０は、其々支持ロッド３３に掛けられる。各フレーム４０は、該フレーム中に挿入される複数の容器４１を有する。各容器４１は、該容器４１を通り形成される複数の孔４１１を有する。
【００１７】
各発振装置５０は、対応するフレーム４０に接続し、該フレームを選択的に振動させる。また、発振装置５０は、平歯車５１、モータ５２及び偏心歯車５３を含む。平歯車５１は、対応する支持ロッド３３に強固に取付けられる。モータ５２は、中空体１０に取付けられる。偏心歯車５３は、モータ５２によって駆動され、選択的に平歯車５１と噛み合う。
【００１８】
超音波機構６０は、中空体１０に取付けられる。
【００１９】
真空ポンプ７０は、カバー３２に取付けられ、受け溝２０を真空にするために、受け溝２０の空気を選択的に抜く。
【００２０】
噴霧機構８０は、受け溝２０に取付けられ、容器４１内の対象物を湿潤するために選択的に水を噴霧する。受け溝２０に噴霧された水は、排出用パイプ２１から外に排出される。噴霧機構８０は、複数のノズルを含むことができる。
【００２１】
図１及び図２を参照すると、結合組織９０が容器４１に入れられている。油圧シリンダ３１は、カバー３２を下方に移動させるように押圧し、受け溝２０を密封し、フレーム４０も、受け溝２０内に移動される。カバー３２が受け溝２０を密封すると、真空ポンプ７０は、受け溝２０内を真空にできる。
【００２２】
図３及び図４を参照すると、偏心歯車は、平歯車５１と噛み合っている。モータ５２が作動すると、偏心歯車５３が回転させられ、平歯車５１を駆動して、回転、発振させる。そのため、支持ロッド３３が、発振して、フレーム４０及び容器４１を振動させる。また、超音波機構６０と噴霧機構８０も作動させる。その結果、容器４１内の結合組織は、徐々に多孔性コラーゲンマトリクスになる。
【００２３】
製造工程が終了されると、放圧装置３２１は、空気を受け溝２０内に注入可能にするよう操作される。その後、油圧シリンダ３１が、カバー３２及びフレーム４０を、上方に移動するように引き上げ、受け溝２０はそのままにする。その後、製造者は、フレーム４０から容器４１を取出すことができる。
【００２４】
本発明の多数の特徴及び利点について、前述の説明で、本発明の構造や構成に関する細部と共に記載したが、こうした開示は、一例に過ぎない。細部、特に形状、サイズ、部品の配置に関する変更は、本発明の原理内において、付記されるクレームにおいて表される広義の用語で示される範囲で、これを行うことができる。
【符号の説明】
【００２５】
１０        中空体
２０        受け溝
２１        排出用パイプ
３０        伝達部品
３１        油圧シリンダ
３２        カバー
３３        支持ロッド
４０        フレーム
４１        容器
５０        発振装置
５１        平歯車
５２        モータ
５３        偏心歯車
６０        超音波機構
７０        真空ポンプ
８０        噴霧機構
９０        結合組織
３２１      放圧装置
４１１      孔
【図１】
0005860537.tif 000002
【図２】
0005860537.tif 000003
【図３】
0005860537.tif 000004
【図４】
0005860537.tif 000005